(57)【特許請求の範囲】
【請求項１】
放射線を蛍光に変換するときの特性である発光特性が互いに異なる複数のシンチレータ結晶が縦横に配列されて構成されるサブブロックを縦横に配列して構成されるシンチレータと、
前記シンチレータで発生した蛍光を検出する光検出器と、
前記光検出器が検出した蛍光の空間的な広がりに基づいて蛍光が前記サブブロックのいずれから生じたものかを特定するブロック特定手段と、
前記光検出器が検出した発光特性に基づいて、前記ブロック特定手段で特定された前記サブブロックのうちいずれのシンチレータ結晶が蛍光を生じたのかを特定する結晶特定手段とを備えた放射線検出器を搭載し、
前記放射線検出器が弧状に配列されて構成され、消滅放射線のペアを検出する検出器リングと、
前記ブロック特定手段で特定された前記サブブロックのうち２つの前記サブブロックからなるサブブロックペアの間で異なる放射線の検出感度のバラつきを補正するノーマライズ補正を、前記検出器リングによって出力され、前記結晶特定手段で特定されたシンチレータ結晶単位で蛍光の発生位置を表した検出データの同時計数を行った同時計数データに対して施す補正手段と、
前記補正手段でノーマライズ補正がなされた同時計数データを基に被検体内の放射性薬剤の分布がイメージングされた断層画像を生成する画像生成手段とを備えることを特徴とする放射線撮影装置。
【請求項２】
請求項１に記載の放射線撮影装置において、
前記サブブロックは、蛍光の減衰特性が互いに異なる複数の前記シンチレータ結晶により構成されていることを特徴とする放射線撮影装置。
【請求項３】
請求項１または請求項２に記載の放射線撮影装置において、
前記サブブロックは、セリウム元素の含有量が互いに異なる複数の前記シンチレータ結晶により構成されていることを特徴とする放射線撮影装置。
【請求項４】
請求項１ないし請求項３のいずれかに記載の放射線撮影装置において、
前記シンチレータ結晶は、ＧＳＯまたはＬＧＳＯで構成されていることを特徴とする放射線撮影装置。
【発明の詳細な説明】
【技術分野】
【０００１】
本発明は、放射線を用いて被検体のイメージングを行う放射線撮影装置に関し、特に、シンチレータ結晶を備えた放射線検出器を備えた放射線撮影装置に関する。
【背景技術】
【０００２】
放射線を検出して被検体のイメージングを行う放射線撮影装置には、γ線などの高エネルギーの放射線を検出できるものがある。このような放射線撮影装置には、この様な透過性の高い放射線を検出できるような放射線検出器が備えられている（例えば特許文献１参照）。
【０００３】
図１１は、この様な放射線検出器を説明している。放射線検出器５１は、シンチレータ結晶ｃが縦横に２次元的に配列して構成されるシンチレータ５２と、シンチレータ５２から発した蛍光を検出する光検出器５３とを備えている。シンチレータ５２から発せられる蛍光は、γ線が変換されたものである。
【０００４】
このような放射線検出器５１は、シンチレータ５２のどこで蛍光が発したかを区別することができる。このような放射線検出器５１の機能を位置弁別機能と呼ぶ。位置弁別機能は、光検出器５３がシンチレータ結晶ｃのうちのどれが蛍光を発したのかを区別することで実現されている。
【先行技術文献】
【特許文献】
【０００５】
【特許文献１】特開２０００−０５６０２３号公報
【発明の概要】
【発明が解決しようとする課題】
【０００６】
しかしながら、従来構成の放射線撮影装置には次のような問題点がある。
すなわち、従来構成の放射線撮影装置では、空間分解能の追及に限界がある。
【０００７】
放射線撮影装置の空間分解能を高めるには、放射線検出器の位置弁別機能を強化する必要がある。そのためには、図１２に示すように、シンチレータ５２を構成するシンチレータ結晶ｃの個数を単純に増やすというのが従来の考え方である。シンチレータ結晶ｃの個数が増えるとシンチレータ結晶ｃの各々はより小さくなる。この小さくなったシンチレータ結晶ｃのうちのどれから蛍光が生じたかを区別すれば、蛍光の発生位置がより厳密に分かるようになり、放射線撮影装置の空間分解能は高まるはずである。
【０００８】
しかし、この考え方に従ったとしても、装置の空間分解能は必ずしも高くはならない。蛍光を発したシンチレータ結晶ｃの特定が難しくなるからである。シンチレータ結晶ｃの中で生じた蛍光は広がりながら光検出器５３に入射する。従って、光検出器５３は、シンチレータ５２の内部で広がってしまった蛍光しか検出することができない。つまり、光検出器５３からすると蛍光を生じたシンチレータ結晶ｃはぼやけて見えるというわけである。したがって、シンチレータ結晶ｃが細かくなると、光検出器５３は、蛍光があるシンチレータ結晶ｃから生じたものなのかそれともその隣のシンチレータ結晶ｃから生じたものなのかを区別することが難しくなる。結果として装置の空間分解能は改善されない。
【０００９】
従って、従来構成の放射線撮影装置ではこれ以上の空間分解能の向上は難しい状況にある。したがって、放射線検出器の構造自体を見直す必要がある。
【００１０】
本発明は、この様な事情に鑑みてなされたものであって、その目的は、放射線検出器の構造を見直すことにより空間分解能の高い放射線撮影装置を提供することにある。
【課題を解決するための手段】
【００１１】
本発明は上述の課題を解決するために次のような構成をとる。
すなわち、本発明に係る放射線撮影装置は、放射線を蛍光に変換するときの特性である発光特性が互いに異なる複数のシンチレータ結晶が縦横に配列されて構成されるサブブロックを縦横に配列して構成されるシンチレータと、シンチレータで発生した蛍光を検出する光検出器と、光検出器が検出した蛍光の空間的な広がりに基づいて蛍光がサブブロックのいずれから生じたものかを特定するブロック特定手段と、光検出器が検出した発光特性に基づいて、前記ブロック特定手段で特定されたサブブロックのうちいずれのシンチレータ結晶が蛍光を生じたのかを特定する結晶特定手段とを備えた放射線検出器を搭載し、前記放射線検出器が弧状に配列されて構成され、消滅放射線のペアを検出する検出器リングと、前記ブロック特定手段で特定された前記サブブロックのうち２つの前記サブブロックからなるサブブロックペアの間で異なる放射線の検出感度のバラつきを補正するノーマライズ補正を、前記検出器リングによって出力され、前記結晶特定手段で特定されたシンチレータ結晶単位で蛍光の発生位置を表した検出データの同時計数を行った同時計数データに対して施す補正手段と、前記補正手段でノーマライズ補正がなされた同時計数データを基に被検体内の放射性薬剤の分布がイメージングされた断層画像を生成する画像生成手段とを備えることを特徴とするものである。
【００１２】
［作用・効果］本発明の放射線撮影装置は、放射線検出器の構造を見直すことにより空間分解能が高いものとなっている。すなわち、本発明に係る放射線検出器は、光検出器が検出した蛍光の空間的な広がりに基づく蛍光の発生位置の弁別はサブブロック単位についてしか行わない。このサブブロックは、発光特性が互いに異なる複数のシンチレータ結晶により構成されている。従って、サブブロックが蛍光を発するときは、これらシンチレータ結晶のいずれかが実際には蛍光を生じたということになる。
本発明の構成によれば、蛍光を発したサブロックのうち実際に発光したシンチレータ結晶はどれなのかを特定するのに発光特性の違いを利用している。サブブロックを構成するシンチレータ結晶は互いに近接した位置にあるので、それぞれから発する蛍光の広がり方はかなり似ていて区別しづらい。本発明によれば、蛍光の発光特性の違いにより蛍光の空間的な広がり方が互いに似通ったシンチレータ結晶を区別できるようになっている。従って、本発明に係る放射線検出器を備えた放射線撮影装置の空間分解能は高いものとなる。
【００１４】
本発明に係る放射線検出器は、ＰＥＴ装置に好適である。ノーマライズ補正は、本来はシンチレータ結晶の組み合わせごとに補正値を求めなければならない。検出器リングを備えたＰＥＴ装置においては、シンチレータ結晶の個数が増えると、シンチレータ結晶の組み合わせが増えるので補正値の算出が難しくなる。本発明によれば、サブブロックの組み合わせごとに補正値を求めるようにしているので、この様な問題が生じない。
【００１５】
また、上述の放射線撮影装置において、サブブロックは、蛍光の減衰特性が互いに異なる複数のシンチレータ結晶により構成されていればより望ましい。
【００１６】
［作用・効果］上述の構成は、本発明の放射線撮影装置をより具体的に表したものとなっている。サブブロックが蛍光の減衰特性が互いに異なる複数のシンチレータ結晶により構成されていれば、サブブロックから生じた蛍光がどのシンチレータ結晶から生じたものなのかを確実に区別することができる。
【００１７】
また、上述の放射線撮影装置において、サブブロックは、セリウム元素の含有量が互いに異なる複数のシンチレータ結晶により構成されていればより望ましい。
【００１８】
［作用・効果］上述の構成は、本発明の放射線撮影装置をより具体的に表したものとなっている。サブブロックがセリウム元素の含有量が互いに異なる複数のシンチレータ結晶により構成されていれば、シンチレータ結晶の間で確実に蛍光の減衰特性を違えることができる。
【００１９】
また、上述の放射線撮影装置において、シンチレータ結晶は、ＧＳＯまたはＬＧＳＯで構成されていればより望ましい。
【００２０】
［作用・効果］上述の構成は、本発明の放射線撮影装置をより具体的に表したものとなっている。シンチレータ結晶がＧＳＯまたはＬＧＳＯで構成されていれば、発光特性の異なるシンチレータ結晶を確実に用意することができる。
【発明の効果】
【００２１】
本発明の放射線撮影装置は、放射線検出器の構造を見直すことにより空間分解能が高いものとなっている。すなわち、本発明に係る放射線検出器は、光検出器が検出した蛍光の空間的な広がりに基づく蛍光の発生位置の弁別は互いに発光特性の異なる複数のシンチレータ結晶で構成されるサブブロック単位についてしか行わない。サブブロックを構成するシンチレータ結晶は互いに近接した位置にあるので、それぞれから発する蛍光の広がり方はかなり似ていて区別しづらい。本発明によれば、蛍光の発光特性の違いにより近接した位置にあるシンチレータ結晶を区別できるようになっている。従って、本発明に係る放射線検出器を備えた放射線撮影装置の空間分解能は高いものとなる。
ノーマライズ補正は、本来はシンチレータ結晶の組み合わせごとに補正値を求めなければならない。検出器リングを備えた放射線撮影装置（この場合にはＰＥＴ装置）においては、シンチレータ結晶の個数が増えると、シンチレータ結晶の組み合わせが増えるので補正値の算出が難しくなる。本発明によれば、サブブロックの組み合わせごとに補正値を求めるようにしているので、この様な問題が生じない。
【図面の簡単な説明】
【００２２】
【図１】実施例１に係る放射線撮影装置の全体構成を説明する機能ブロック図である。
【図２】実施例１に係る検出器リングの構成を説明する平面図である。
【図３】実施例１に係る放射線検出器の構成を説明する機能ブロック図である。
【図４】実施例１に係るシンチレータの構成を説明する斜視図である。
【図５】実施例１に係るサブブロック特定処理を説明する模式図である。
【図６】実施例１に係る蛍光の発光特性の違いを説明するタイムコースである。
【図７】実施例１に係る結晶特定処理を説明する模式図である。
【図８】実施例１に係るサブブロックペアを説明する模式図である。
【図９】実施例１に係るサブブロックペアを説明する模式図である。
【図１０】実施例１に係る放射線撮影装置の動作の全容を説明する模式図である。
【図１１】従来構成の放射線検出器を説明する斜視図である。
【図１２】従来構成の放射線検出器の問題点を説明する斜視図である。
【実施例１】
【００２３】
以下、本発明に係る放射線断層撮影装置の実施例について図面を参照しながら説明する。実施例１におけるγ線は本発明の放射線の一例である。なお、実施例１の構成は、乳房検査用画像診断装置となっている。すなわち、実施例１の放射線断層撮影装置は、乳房Ｂに分布する放射性薬剤のイメージングを行って断層画像Ｐを生成するＰＥＴ(Positron Emission Tomography)装置の一種である。そして、実施例１の装置は、被検体Ｍの右乳房と左乳房とを片側ずつ２回に分けて撮影する構成となっている。
【００２４】
図１は、実施例１に係る放射線断層撮影装置の具体的構成を説明する機能ブロック図である。実施例１に係る放射線撮影装置９は、被検体Ｍの乳房Ｂをｚ方向から導入させる開口部を備えた検出器リング１２とを備えている。検出器リング１２に設けられた開口部は、ｚ方向に伸びた円筒形（正確には、正多角柱）となっている。したがって、検出器リング１２自身もｚ方向に伸びている。なお、検出器リング１２における放射線を検出する放射線検出器１が弧状に配列されて構成される貫通孔が被検体Ｍの薬剤分布をイメージングするときの撮影視野となっている。ｚ方向は、検出器リング１２の中心軸の伸びる方向に沿っている。検出器リング１２は、放射線を検出する後述の放射線検出器が弧状に配列されて構成される。天板１０，検出器リング１２，および遮蔽プレート１３は、支持台３８に支持されている。
【００２５】
天板１０は、腹ばいの状態となった放射性薬剤投与後の被検体Ｍを載置する目的で設けられている。天板１０には、被検体Ｍの乳房Ｂを挿通する穴がｚ方向に貫通するように設けられており、乳房Ｂは、この穴を通じて乳房Ｂを検出器リング１２の内部に導入される。検出器リング１２の開口部は、鉛直上向きに設けられており、乳房Ｂは、この開口部に鉛直下向きの方向から導入されることになる。検出器リング１２が有する貫通孔のうち被検体Ｍの乳房Ｂを挿入する側の開口は、鉛直上向きに配向している。
【００２６】
遮蔽プレート１３は、タングステンや鉛等で構成される（図１参照）。放射性薬剤は、被検体Ｍの乳房Ｂ以外の部分にも存在するので、そこからも消滅γ線ペアが発生している。この様な関心部位以外から発生する消滅γ線ペアが検出器リング１２に入射すると、断層画像撮影の邪魔となる。そこで、検出器リング１２のｚ方向における被検体Ｍに近い側の一端を覆うようにリング状でγ線を吸収する遮蔽プレート１３が設けられているのである。遮蔽プレート１３は、天板１０と検出器リング１２とに挟まれる位置に配置されている。
【００２７】
検出器リング１２の構成について説明する。検出器リング１２は、例えば１０個の放射線検出器１がｚ方向（中心軸方向）に垂直な平面上の仮想円に配列されることで、１つの単位リング１２ａが形成される。この単位リング１２ａがｚ方向に例えば３個配列されて検出器リング１２が構成される（具体的には、図２参照）。検出器リング１２は、放射線検出器１が弧状に配列されて構成され、被検体内より生じる消滅γ線のペアを検出する。
【００２８】
＜放射線撮影装置の全体構成＞
本発明の検出器リング１２を構成する放射線検出器１は、図３に示すようにシンチレータ結晶ｃが縦横に配列されて構成されたシンチレータ２と、シンチレータ２の下面に設けられているシンチレータ２から生じた蛍光を検出する光検出器３と、シンチレータ２と光検出器３とによって挟まれる位置に配置されるライトガイド４とを備えている。ライトガイド４は、シンチレータ２で生じた蛍光を光検出器３に通過させる目的で設けられている。図３におけるシンチレータ２には、シンチレータ結晶ｃが縦８×横８の二次元マトリックス状に配列されており、合計６４個のシンチレータ結晶ｃを備えている。
【００２９】
図４左側は、本発明の最も特徴的な構成であるシンチレータ２の構成について説明している。すなわち、シンチレータ２は、シンチレータ結晶ｃが縦２×横２の二次元マトリックス状に配列されたサブブロックＳから構成されている（図４左側においては太枠で表示）。したがって、シンチレータ２には、サブブロックＳが縦４×横４の二次元マトリックス状に配列されており、合計１６個のサブブロックＳを備えている。
【００３０】
図４中央は、シンチレータ２を構成するサブブロックＳの一つを図示している。サブブロックＳは、同一形状のシンチレータ結晶ｃが４本配列された構成となっている。これらシンチレータ結晶ｃは、セリウム元素を含有するＧＳＯ（Ｇｄ２ＳｉＯ５）で構成されており、γ線が入射すると、蛍光を発するような特性を有している。ＧＳＯに代えてシンチレータ結晶ｃをＬＧＳＯ（Ｌｕ，Ｇｄ）２ＳｉＯ５で構成するようにしてもよい。
【００３１】
図４右側は、互いのサブブロックＳを光学的に分離する反射材ｒについて説明している。サブブロックＳの４側面には、蛍光を反射する反射材ｒが設けられており、サブブロックＳ内で生じた蛍光が隣のサブブロックＳに逃げ出したり、シンチレータ２の側面から逃げ出したりするのを防止している。サブブロックＳのライトガイド４に結合する下面および、下面に対向する上面には反射材ｒは設けられていない。
【００３２】
シンチレータ２を構成するサブブロックＳは、放射線を蛍光に変換するときの特性である発光特性が互いに異なる複数のシンチレータ結晶ｃが縦横に配列されて構成される。すなわち、サブブロックＳは、蛍光の減衰特性が互いに異なる複数のシンチレータ結晶ｃにより構成されており、より具体的には、セリウム元素の含有量が互いに異なる４本のシンチレータ結晶ｃにより構成されている。この構成の詳細は後述する。
【００３３】
光検出器３は、シンチレータ２で生じた蛍光を検出して検出データＤを出力する構成となっている。この検出データＤは、蛍光の継時的変化を表したものであり、光検出器３からリアルタイムに出力される。また、光検出器３は、縦横に伸びた矩形の検出面を有している。光検出器３は、蛍光を検出した際に検出面における蛍光の二次元的な分布を検出することができる。したがって、光検出器３が出力する検出データＤは、検出面における蛍光の二次元的な分布が継時的に変わる様子を示したデータとなっている。なお、光検出器３は、装置に付属のクロック１９より送出される時間信号に基づいて現時刻を把握する構成となっている。
【００３４】
＜ブロック特定部５の動作＞
光検出器３が検出した検出データＤは、ブロック特定部５に送出される。このブロック特定部５は、光検出器３が検出した蛍光の空間的な広がりに基づいて蛍光がシンチレータ２を構成するサブブロックＳのいずれから生じたものかを特定する。すなわち、ブロック特定部５は、図５に示すように、検出面における蛍光の二次元的な分布を示す検出データＤに基づいて蛍光がシンチレータ２を構成するサブブロックＳのうちのどれから発したものであるかを特定する。なお、ブロック特定部５は、継時的に出力される検出データＤの積算値を用いて、単一の蛍光についてサブブロックＳの特定を行う。図５では、蛍光を発したサブブロックＳは、Ｓ２３であるものと特定されている。ブロック特定部５は、放射線検出器１の一部としてもよいし、放射線撮影装置の一部としてもよい。ブロック特定部５は、本発明のブロック特定手段に相当する。
【００３５】
図４右側に示すようにサブブロックＳ同士は、反射材ｒによって光学的に分離されている。このようにすると、蛍光が光検出器３の検出面に到達する位置は、生じたサブブロックＳによって大きく変化するようになる。従って、ブロック特定部５は、蛍光の発生したサブブロックＳを隣のサブブロックＳと取り違えることがなく、蛍光が生じたサブブロックＳを確実に特定することができる。
【００３６】
＜結晶特定部６の動作＞
特定されたサブブロックＳを示すサブブロック特定データＤｓは、結晶特定部６に送出される。この結晶特定部６は、光検出器３が検出した発光特性に基づいて、蛍光の発光位置として特定されたサブブロックＳのうちいずれのシンチレータ結晶ｃが蛍光を生じたのかを特定する。すなわち、結晶特定部６は、特定されたサブブロックＳを構成する４つのシンチレータ結晶ｃのどれが蛍光を発したのかを特定する。結晶特定部６は、放射線検出器１の一部としてもよいし、放射線撮影装置の一部としてもよい。結晶特定部６は、本発明の結晶特定手段に相当する。
【００３７】
結晶特定部６が行う結晶の特定に利用されるのがサブブロックＳを構成する４つのシンチレータ結晶ｃにドープされているセリウム元素の含有量が互いに異なることである。この構成は、本発明の最も特徴的な構成となっている。
【００３８】
セリウム元素の含有量に変化を与えたことにより、シンチレータ結晶ｃの区別が可能となる。図６の実線で示すタイムコースは、結晶で生じる蛍光の強度の継時的推移を示している。結晶で蛍光が生じると、蛍光強度は速やかに最高となり、そこから次第に減衰する。したがって、結晶で生じた蛍光が完全に消滅するにはしばらくの時間が必要である。
【００３９】
図６に示したタイムコースは、シンチレータ結晶ｃに含まれるセリウム元素の含有量が変わると変化する。例えば、図６の実線で示すシンチレータ結晶ｃにおけるセリウム元素の濃度を３段階変化させて新たな３種類のシンチレータ結晶ｃを準備したとする。これらについての蛍光の特性を示すタイムコースを図６に書き足すと、図６の破線のようになる。つまり、互いのシンチレータ結晶ｃが有する蛍光の減衰特性はすべて違う。さらに、いずれの特性も実線で示す元のシンチレータ結晶ｃのものとも同一とならない。このように、セリウム元素の含有量を調整すれば蛍光が減衰する様子に変化をつけられるわけである。
【００４０】
このような蛍光の減衰の相違に基づいてシンチレータ結晶ｃを区別することができる。この区別を実際に行うのが結晶特定部６である。結晶特定部６には、光検出器３より検出データがリアルタイムに送出されている。この検出データは、蛍光の強度変化を継時的に表したものでもある。結晶特定部６は、検出データＤに基づいて蛍光が極大となる前であって所定の閾値に達する時点から所定の時間が経過した時の蛍光の強度を取得する。この時の蛍光の強度は、セリウム元素の含有量で決まる４種類のうちのどれかとなる。つまり、蛍光の強度を実測すれば蛍光を発したシンチレータ結晶ｃにおけるセリウム元素の含有量が分かるわけである。サブブロックＳの中では、セリウム元素の含有量が同じシンチレータ結晶ｃはないことからすると、結晶特定部６は、実測された蛍光強度によりこの蛍光を発したシンチレータ結晶ｃが特定できる。図７は、以上説明した原理に基づいて結晶特定部６がシンチレータ結晶ｃを特定している様子を表している。図７では、蛍光を発したシンチレータ結晶ｃは、ｃ（Ｓ２３，１）であるものと特定されている。図５と図７とを比較すると、結晶特定部６の動作により、ブロック特定部５では知りえない蛍光発生に係るシンチレータ結晶ｃの位置が特定されたことが分かる。
【００４１】
＜同時計数部２０の動作＞
同時計数部２０（図１参照）には、検出器リング１２から出力された検出データが送られてきている。検出器リング１２に同時に入射した２つの放射線は、被検体内の放射性薬剤に起因する消滅γ線のペアである。同時計数部２０は、検出器リング１２を構成するシンチレータ結晶ｃのうちの２つの組み合わせ毎に消滅γ線のペアが検出された回数をカウントし、この結果を補正部２１に送出する。なお、同時計数部２０による検出データの同時性の判断は、装置に付属のクロック１９によって検出データに付与された時刻情報が用いられる。この補正部２１は、後述するように２つのサブブロックＳからなるサブブロックペアの間で異なる放射線の検出感度のバラつきを補正するノーマライズ補正を検出器リング１２が出力する検出データに対して施す。補正部２１は、本発明の補正手段に相当する。
【００４２】
＜補正の必要性＞
上述した同時計数データは、図１に示すように、消滅γ線のペアを放射する放射性薬剤を投与した被検体Ｍを検出器リング１２に導入して、被検体Ｍから生じる消滅γ線のペアを検出することで得られるものである。したがって、この同時計数データは、被検体Ｍの放射性薬剤分布を示す断層画像Ｐの生成の元になるデータとなっている。とはいえ、同時計数データをそのまま用いて断層画像Ｐを生成しても、放射性分布を正確に知ることはできない。画像化処理前に同時計数データを補正する必要があるのである。
【００４３】
このとき必要となる補正は、ノーマライズ補正というものである。ノーマライズ補正とは、端的に言えば、検出器リング１２の部分によってバラついている放射線の検出特性に起因する同時計数データの乱れを補正するものである。検出器リング１２には、数多くのシンチレータ結晶ｃが備わっている。ライトガイド４による光の広げ方の違いや光検出器３の増倍率のムラなどを含めて、これらシンチレータ結晶ｃがγ線を検出するときの感度はシンチレータ結晶ｃによって違っている。同時計数データは、このような感度のバラつきを無視し、シンチレータ結晶ｃは、同じ感度であるものという前提でのデータである。したがって、同時計数データをノーマライズ補正して、シンチレータ結晶ｃが有する検出感度のバラつきの影響を断層画像Ｐに出現させないようにする必要がある。
【００４４】
一般的な放射線撮影装置におけるノーマライズ補正は、単に検出素子同士の検出感度のバラつきを測定することで実現できる。ということは、実施例１の装置においても、シンチレータ結晶ｃ同士で蛍光の検出感度がどの程度バラついているかを実際に測定しさえすれば、ノーマライズ補正が実現できるようにも思われる。
【００４５】
しかしながら、実施例１のようなＰＥＴ装置におけるノーマライズ補正は、より複雑である。すなわち、同時計数データは、消滅γ線のペアが入射した回数がシンチレータ結晶ｃのうちの２つの組み合わせ毎にカウントされたデータセットである。したがって、ノーマライズ補正もシンチレータ結晶ｃの組み合わせごとに行わなければならない。ノーマライズ補正を行う時に同時計数データに乗じられる補正値は、消滅γ線のペアごとに用意しなければならない。
【００４６】
ノーマライズ補正の補正値は、被検体Ｍの撮影の前にあらかじめ用意しておく必要がある。このような補正値を得るには、検出器リング１２の開口に消滅γ線のペアを放射するファントムを置いて実際に同時計数を行い、カウント数のバラつきを知る必要がある。従ってカウント数は、シンチレータ結晶ｃのペアごとに取得しなければならない。図８は、従来的な補正値の取得時において、カウント数が取得されるシンチレータ結晶ｃのペアのうちの一つを示している。
【００４７】
ＰＥＴ装置の空間分解能を向上させるには、放射線検出器１のシンチレータ２をより細かなシンチレータ結晶ｃで構成する必要がある。シンチレータ結晶ｃを小さくするということは、それだけシンチレータ２を構成するシンチレータ結晶ｃの個数が増えるということでもある。シンチレータ結晶ｃの個数が増えた状態において補正値を取得しようとして消滅γ線のペアの計数を行おうとすると、補正値の取得に必要なカウント数がなかなか集まらない。シンチレータ結晶ｃの個数の増加に伴い、シンチレータ結晶ｃの組み合わせが増えたからである。
【００４８】
この事情について説明する。例えば、装置全体でシンチレータ結晶ｃの組み合わせが１，０００通りあったとする。補正値を算出するのには、シンチレータ結晶ｃの組み合わせ１つにつき１，０００回程度のカウント数が必要だとする。このぐらいカウント数がないと、検出時のノイズ成分の影響を受けて十分に信頼性の高い補正値を得ることができない。したがって、信頼性が十分な補正値を算出するには、装置全体で約１×１０６回だけの消滅γ線のペアのカウントが必要である。
【００４９】
ここで、ＰＥＴ装置の空間分解能を向上させようとして、放射線検出器１が有するシンチレータ結晶ｃの個数を増やすとシンチレータ結晶ｃの組み合わせはすぐに１，０００通りを超えてしまう。すると補正値の取得には、約１×１０６回のカウントでは不十分になってしまう。シンチレータ結晶ｃを増やすと補正値の算出により多くのカウントが必要となるわけである。カウントを増やすには、ファントムの放射線検出の時間を長くする必要がある。
【００５０】
シンチレータ結晶ｃの組み合わせの増え方は、シンチレータ結晶ｃの個数が倍になると倍に増えるというようなものではない。シンチレータ結晶ｃがわずかでも増えると、組み合わせは比較にならないほど増加するのである。したがって、ＰＥＴ装置の空間分解能を向上させようとすると、ノーマライズ補正の補正値の取得作業が難しくなる。シンチレータ結晶ｃの組み合わせが増え過ぎてノーマライズ補正の補正値の取得に現実離れした長い時間が必要になるからである。このように、装置に取り付けられるシンチレータ結晶ｃの個数を増やすそうとするとノーマライズ補正が限界となる。
【００５１】
＜ノーマライズ補正に用いる補正値の取得方法＞
本発明に係る放射線撮影装置９は、この様な事情を鑑みて、装置を構成するシンチレータ結晶ｃが増えても、補正値の算出に必要なファントムの放射線検出の時間が長くならないように工夫がされている。すなわち、本発明の係る補正値は、図９に示すように、サブブロックＳの組み合わせ（サブブロックペア）単位に算出されるのである。つまり、本発明によれば消滅γ線の検出のバラつきをサブブロックペアごとに実測し、このバラつきをキャンセルするような補正値が算出される。この２つのサブブロックペアにはシンチレータ結晶ｃが４本ずつ属している。従って、サブブロックペアに消滅γ線のペアが入射したとすると、入射する結晶の組み合わせが異なる１６通りの場合がある。従来の考え方によれば、この１６通りの全てについて個別に消滅γ線のペアのカウントを行う。これに比べて本発明の考え方によれば、これら１６通りの場合を１つにまとめてカウントを実行する。この例からも、本発明の補正値の取得法によれば、消滅γ線のペアの検出に係る時間が短くて済むことが明らかである。
【００５２】
したがって、本発明の装置において、補正値を算出する目的でファントムから照射される消滅γ線を検出する際に、同時計数部２０は、ブロック特定部５のサブブロック特定データＤｓに基づいて消滅γ線の検出回数をサブブロックペアごとに計数する。得られた同時計数データは、サブブロックＳ単位となっており、補正値は、この同時計数データに基づいてサブブロックペア間で見られる検出のバラつきをキャンセルすることができるように算出される。したがって、補正値は、サブブロックペアごとに算出されることになる。サブブロックペアごとに算出された補正値をまとめて補正データと呼ぶことにする。
【００５３】
＜補正部２１の動作＞
補正部２１は、ノーマライズ補正を実際に行う目的で設けられている。補正部２１には同時計数部２０より同時計数に係るカウント数を表したデータ（同時計数データ）を受信する。このとき受信される同時計数データは、補正の対象となるデータであり、消滅γ線のペアを放射する放射性薬剤を投与した被検体Ｍについての検出結果である。このときの同時計数データは、結晶特定部６により、シンチレータ結晶単位で蛍光の発生位置を表した検出データに同時計数を行ったものとなっている。当該同時計数データは、ファントムについての検出結果ではないことには注意すべきである。
【００５４】
補正部２１は、同時計数データにノーマライズ補正の補正値を乗じることで同時計数データの補正を実行する。この時の補正の方法としては、サブブロックペアごとに実行される。同時計数データの上では、シンチレータ結晶ｃの組み合わせごとに個別に同時計数のカウントがなされている。ノーマライズ補正においては、属するサブブロックペアが同じならば異なるシンチレータ結晶ｃの組み合わせであっても当該サブブロックペアに対応した補正値が乗じられる。補正データは補正値とサブブロックペアを示すデータとが対応づけられたものとなっている。
【００５５】
＜画像生成部２２の動作＞
ノーマライズ補正がなされた同時計数データは、画像生成部２２に送出される。画像生成部２２は、補正後の同時計数データを基に被検体内の放射性薬剤の分布がイメージングされた断層画像Ｐを生成する。断層画像Ｐの解像度は、同時計数データが持っている空間分解能に依存する。すなわち、同時計数データがより詳細な位置情報を持っていれば、断層画像Ｐの解像度も高くなるのである。本発明の同時計数データは、シンチレータ結晶単位を検出素子として得られたものなので、断層画像Ｐの解像度は高いものとなる。
【００５６】
図１０は、本発明の装置の全体的な動作を表している。図１０に示すように、ノーマライズ補正データの取得時における蛍光の発生位置の特定は、サブブロックＳ単位に止めている。このように構成することで、算出すべき補正値の点数を少なくすることができ、短い時間でノーマライズ補正データの取得を完了することができる。一方、被検体Ｍの断層画像生成時における蛍光の発生位置の特定は、サブブロックＳ単位のみならずシンチレータ結晶単位まで詳細に行っている。このように構成することで、被検体Ｍの断層画像Ｐの解像度を高めることができるので装置の空間分解能を向上させることができる。
【００５７】
＜補正データ取得時と断層画像撮影時で空間分解能を変えてよい理由＞
続いて、補正データ取得時と断層画像撮影時で空間分解能を変えてよい理由について説明する。シンチレータ結晶ｃの個数が増えるとノーマライズ補正データの取得の時と同じように断層画像Ｐの撮影も時間がかかってしまうことは考えられないだろうか。
【００５８】
しかし本発明の場合はそうならない。被検体Ｍに係る消滅γ線のペアの検出をするときには、シンチレータ結晶ｃの個数の増加がノーマライズ補正精度の劣化を起こさない為、問題とならないからである。なぜなら、ノーマライズ補正を適用する単位はサブブロックＳ単位であるからであり、ノーマライズ補正精度はサブブロックＳ単位内でのシンチレータ結晶ｃの個数がどう増加しようと、なんら違いが無いからである。被検体Ｍの断層画像Ｐを取得するのに例えば消滅γ線のペアの検出が約１×１０６回のカウントが必要だとする。被検体Ｍの断層画像Ｐを取得する場合、シンチレータ結晶ｃの個数が増えたからといって必要なカウント数に変化はない。シンチレータ結晶ｃの個数が増えたとしても、約１×１０６回のカウントさえ得られれば断層画像Ｐが生成できるからである。それどころか、シンチレータ結晶ｃの個数を増やしたことにより断層画像Ｐにおける放射性薬剤の分布がより詳細になる。つまり、断層画像Ｐの解像度が改善される。
【００５９】
これに比べて、ノーマライズ補正データを取得するときには、シンチレータ結晶ｃのペア同士で放射線の検出特性の差異を比較することが要求される。したがって、信頼性の高いノーマライズ補正データを得るには「ペア１つ当たり」所定のカウント（上述の例では約１，０００カウント）が必要になるのである。従って、シンチレータ結晶ｃのペアの増加に比例して必要なカウント数が増えてしまう。
【００６０】
本発明は、この点に着目し、被検体Ｍの断層画像Ｐの取得時とノーマライズ補正データの取得時とで空間分解能を変化させる構成を採用している。すなわち、被検体Ｍの断層画像Ｐの取得時には、放射線を検出する検出素子を増やしても問題はないので、被検体内の放射性薬剤の分布を高い空間分解能（シンチレータ結晶ｃに基づく空間分解能）でイメージングする。一方、ノーマライズ補正データの取得時には、検出素子を増やせないので、ファントムの放射性薬剤の検出を低い空間分解能（サブブロックＳに基づく空間分解能）で実行するようにしているのである。
【００６１】
なお、放射線撮影装置９は、各部を統括的に制御する主制御部４１を備えている。この主制御部４１は、ＣＰＵによって構成され、各種のプログラムを実行することにより、各部２０，２１，２２を実現している。なお、上述の各部はそれらを担当する制御装置に分割されて実現されてもよい。操作卓３５は、術者が行う各種指示を入力させる目的で設けられている。表示部３６は、画像生成部２２が生成した断層画像Ｐを表示する目的で設けられている。記憶部３７は、補正データなど装置の動作に必要なデータの一切を記憶する。
【００６２】
以上のように、本発明の放射線撮影装置９は、放射線検出器１の構造を見直すことにより空間分解能が高いものとなっている。すなわち、本発明に係る放射線検出器１は、光検出器３が検出した蛍光の空間的な広がりに基づく蛍光の発生位置の弁別はサブブロックＳ単位についてしか行わない。このサブブロックＳは、発光特性が互いに異なる複数のシンチレータ結晶ｃにより構成されている。従って、サブブロックＳが蛍光を発するときは、これらシンチレータ結晶ｃのいずれかが実際には蛍光を生じたということになる。
【００６３】
本発明の構成によれば、蛍光を発したサブロックのうち実際に発光したシンチレータ結晶ｃはどれなのかを特定するのに発光特性の違いを利用している。サブブロックＳを構成するシンチレータ結晶ｃは互いに近接した位置にあるので、それぞれから発する蛍光の広がり方はかなり似ていて区別しづらい。本発明によれば、蛍光の発光特性の違いにより蛍光の空間的な広がり方が互いに似通ったシンチレータ結晶ｃを区別できるようになっている。従って、本発明に係る放射線検出器１を備えた放射線撮影装置９の空間分解能は高いものとなる。
【００６４】
また、本発明の構成ではシンチレータ結晶ｃの個数を増やしても、情報処理に負荷がかからない。シンチレータ結晶ｃを増やすとそれだけシンチレータ結晶ｃを区別するための番地が増えてしまうのが従来の常識である。本発明によれば、サブブロックＳを区別するための番地にシンチレータ結晶ｃを区別する情報を付加するだけで検出データの保持が実現できる。
【００６５】
本発明に係る放射線検出器１は、ＰＥＴ装置に好適である。ノーマライズ補正は、本来はシンチレータ結晶ｃの組み合わせごとに補正値を求めなければならない。ＰＥＴ装置を構成するシンチレータ結晶ｃの個数が増えると、シンチレータ結晶ｃの組み合わせが増えるので補正値の算出が難しくなる。本発明によれば、サブブロックペアごとに補正値を求めるようにしているので、この様な問題が生じない。
【００６６】
本発明は、上述の構成に限られず、下記のように変形実施することができる。
【００６７】
（１）上述の構成では、ＰＥＴ装置を例にとって説明していたが、本発明は、ＳＰＥＣＴ(Single Photon Emission Computed Tomography)装置等その他の放射線撮影装置に適用することができる。また、本発明は、全身撮影用のＰＥＴ装置に適用することもできる。
【００６８】
（２）上述のサブブロックＳは、縦２×横２に配列された４本のシンチレータ結晶ｃから構成されていたが、本発明はこの構成に限られない。サブブロックＳを構成するシンチレータ結晶ｃの本数および配列の仕方は、自由に選択することができる。
【００６９】
（３）上述のシンチレータ２は、縦４×横４に配列されたサブブロックＳから構成されていたが、本発明はこの構成に限られない。シンチレータ２を構成するサブブロックＳの本数および配列の仕方は、自由に選択することができる。
【符号の説明】
【００７０】
ｃ     シンチレータ結晶
Ｓ     サブブロック
３     光検出器
５     ブロック特定部（ブロック特定手段）
６     結晶特定部（結晶特定手段）
１２   検出器リング
２１   補正部（補正手段）
【図１】
0006344096.tif 000002
【図２】
0006344096.tif 000003
【図３】
0006344096.tif 000004
【図４】
0006344096.tif 000005
【図５】
0006344096.tif 000006
【図６】
0006344096.tif 000007
【図７】
0006344096.tif 000008
【図８】
0006344096.tif 000009
【図９】
0006344096.tif 000010
【図１０】
0006344096.tif 000011
【図１１】
0006344096.tif 000012
【図１２】
0006344096.tif 000013